(57)【要約】【課題】パチンコ遊技において、磁石を用いて遊技盤上を転動する遊技球を誘導したり、滞留させたりして不正に入賞を発生させる行為を防止する。【解決手段】遊技盤８の前面部位に、前方の磁気に反応して変色する磁気表示シート２１を配設する。かかる構成にあっては、前方から遊技盤８に磁石を近づけると、該磁石に反応して磁気表示シート２１が変色することとなる。かかる磁気表示シート２１は、磁石を遠ざけた後も変色した状態を保持し、また、振動や衝撃によって誤作動を起こさない、信頼性の高いものであるため、遊技店の店員は、かかる磁気表示シート２１の色をチェックすることで、磁石による不正が行われたか否かを正確に把握することができる。【選択図】図２
2010088617.tif 000002
【特許請求の範囲】
【請求項１】
遊技盤の前面部位に、前方の磁気に反応して変色する磁気表示シートが配設されていることを特徴とするパチンコ機。
【請求項２】
前記磁気表示シートは、内部に磁性粉が分散するマイクロカプセルを多数含有するマイクロカプセル層を具備してなり、前方の磁気に反応して前記マイクロカプセル内の磁性粉が動くことによって変色することを特徴とする請求項１記載のパチンコ機。
【請求項３】
前記磁気表示シートは、初期状態で前記マイクロカプセル内の磁性粉を背面側に偏在させており、前記磁性粉が前方の磁気に吸引されて前面側に移動すると、前記磁性粉の色によってその前面が変色することを特徴とする請求項１又は請求項２に記載のパチンコ機。
【請求項４】
前記磁性粉は扁平状金属磁性粉であり、
前記磁気表示シートは、初期状態で前記マイクロカプセル内の扁平状金属磁性粉を、該磁気表示シートの面方向に配向させており、
扁平状金属磁性粉が前方の磁気によって磁気表示シートの厚み方向に配向するように変動すると、マイクロカプセルの光の反射具合が変化して、磁気表示シートが変色することを特徴とする請求項１又は請求項２に記載のパチンコ機。
【請求項５】
前記磁気表示シートは、遊技盤に対して着脱可能に配設されていることを特徴とする請求項１乃至請求項４のいずれか１項に記載のパチンコ機。
【発明の詳細な説明】
【技術分野】
【０００１】
本発明は、遊技盤に近づけられた磁気を検知するセンサを備えたパチンコ機に関する。
【背景技術】
【０００２】
従来、パチンコ遊技では、磁石を用いて遊技盤上を転動する遊技球を誘導したり、滞留させたりすることで過剰に入賞を発生させる不正が問題となっている。かかる不正を防止すべく、最近のパチンコ機では、遊技盤に磁石を近づけると遊技盤に配設された磁気センサがこれを検知して、警告ランプを点灯させるなどの対策が取られている。
【０００３】
特許文献１には、磁気センサとしてリードスイッチを用いたパチンコ機が記載されている。リードスイッチは、強磁性体製のリード上に接点を取り付けてガラス管に封入してなる杆状スイッチであり、外部から磁場が加わると通電するように設計されたものである。また、特許文献１のパチンコ機では、リードスイッチは、遊技盤の背面に形成された装着穴に保持されて、パチンコ機の制御装置と電気的に接続されている。
【０００４】
【特許文献１】実開昭５４−１１９４７６号公報
【発明の開示】
【発明が解決しようとする課題】
【０００５】
しかしながら、リードスイッチは精密電子機器であり、振動や衝撃によって誤作動や故障が発生し易いという欠点がある。このため、上記特許文献１のパチンコ機では、遊技中にリードスイッチが作動して、遊技店の店員が当該パチンコ機に駆けつけたとしても、遊技者が実際に不正を行ったと確信することができなかった。
【０００６】
本発明はかかる問題の解決を試みたものであり、磁石による不正を好適に防止し得るパチンコ機の提供を目的とするものである。
【課題を解決するための手段】
【０００７】
本発明は、遊技盤の前面部位に、前方の磁気に反応して変色する磁気表示シートが配設されていることを特徴とするパチンコ機である。ここで「磁気表示シート」とは、磁気によって変色し、磁気を除去した後も変色した状態を保持する表示機能素子を備えるものであり、局所的な磁場によって部分的に変色させることにより文字や像などの情報を表示するのに使用されたり、磁区観察に使用されたりしているものである。また、「遊技盤の前面部位」とは、遊技盤の前面及び遊技盤に配設される遊技部材の前面を含む部位である。かかる構成によれば、前方から遊技盤に磁石を近づけると、磁気表示シートが該磁石に反応して変色する。かかる磁気表示シートは、磁石を遠ざけた後も変色した状態を保持し、前方からは元の色に復帰させることができないため、遊技店の店員は、かかる磁気表示シートの色をチェックすることで、遊技盤に磁石が近づけられたか否かを、確信をもって判断できる。
【０００８】
本発明にあって、前記磁気表示シートは、内部に磁性粉が分散するマイクロカプセルを多数含有するマイクロカプセル層を具備してなり、前方の磁気に反応して前記マイクロカプセル内の磁性粉が動くことによって変色する構成が提案される。かかる構成あっては、磁気表示シートが柔軟で成形性にも富んだものとなるから、遊技釘間の狭い領域や、遊技部材の湾曲した前面などに磁気表示シートを好適に配設可能となる。また、磁気表示シートを薄型化できるため、磁気表示シートを遊技盤の前面に貼付しても、磁気表示シートが遊技球の転動を阻害することがない。また、磁気表示シートが振動や衝撃に極めて強くなる。
【０００９】
また、上述の構成にあって、前記磁気表示シートは、初期状態で前記マイクロカプセル内の磁性粉を背面側に偏在させており、前記磁性粉が前方の磁気に吸引されて前面側に移動すると、前記磁性粉の色によってその前面が変色する構成が提案される。すなわち、かかる構成にあっては、背面側から磁場を加えてマイクロカプセル内の磁性粉を背面側に偏在させて、磁気表示シートの前面に磁性粉の色が顕在化しないようにしておき、前方に磁石が近づけられると、磁性粉が前面側に移動して顕在化することによって、磁気表示シートが変色することとなる。かかる磁気表示シートは、特許２８７３８２５号公報に開示されているように公知であり、安価に入手できる。なお、かかる磁気表示シートは、局所的な磁場によって部分的に変色させて文字や像などの情報を表示するのに使用されるのみで、磁気センサとして使用されてはいない。
【００１０】
また、上述の構成にあって、前記磁性粉は扁平状金属磁性粉であり、前記磁気表示シートは、初期状態で前記マイクロカプセル内の扁平状金属磁性粉を、該磁気表示シートの面方向に配向させており、扁平状金属磁性粉が前方の磁気によって磁気表示シートの厚み方向に配向するように変動すると、マイクロカプセルの光の反射具合が変化して、磁気表示シートが変色する構成が提案される。すなわち、かかる構成にあっては、マイクロカプセル内に扁平状金属磁性粉が磁場に応じて配向転換するように保持されており、磁気表示シートは、予め磁場をかけて扁平状金属磁性粉が磁気表示シートの面方向に配向した状態とされる。そして、かかる磁気表示シートの前方に磁石を近づけると、マイクロカプセル層に厚み方向の磁場が加わり、扁平状金属磁性粉は磁気表示シートの厚み方向に配向するよう変動し、これによりマイクロカプセルの光の反射率が変わって磁気表示シートが変色するのである。かかる磁気表示シートは、特開平１１−４５０５９号公報に開示されるように公知であり、僅かな磁場で配向を転換でき、表示性能に優れるという利点がある。なお、かかる磁気表示シートは磁区観察などに使用されるが、磁気センサとして使用されてはいない。
【００１１】
本発明にあって、前記磁気表示シートは、遊技盤に対して着脱可能に配設されている構成が提案される。かかる構成にあっては、磁気表示シートを遊技盤から取り外すことで、磁気表示シートに磁場を加えやすくなるから、変色した磁気表示シートを容易に初期状態に復帰させることができる。また、磁気表示シートの交換や保守も容易となる。
【００１２】
本発明に係る磁気表示シートは、遊技盤の前面部位に配設されていればよく、その配設態様は特に限定されるものではない。例えば、磁気表示シートを遊技盤や遊技部材に直接貼付してもかまわないし、磁気表示シートを基材に固定して該基材を遊技盤や遊技部材に取り付けるようにしてもよい。
【発明の効果】
【００１３】
本発明のパチンコ機は、遊技盤の前面部位に、前方の磁気に反応して変色する磁気表示シートが配設されているから、遊技店の店員は磁気表示シートの色をチェックすることで磁石が遊技盤に近づけられたか否かを判断できる。かかる磁気表示シートは、磁石の磁力によって直接的に変色するものであるから、振動や衝撃によって誤作動したり、故障することがない。また、磁気表示シートは、加わる磁力が強くなるに従って、変色具合が明瞭になり、また、変色する領域が連続的に拡大するから、強い磁力が加えられた場合には、磁気表示シートの前面にはっきりとした痕跡が残ることとなる。このように、磁気表示シートは信頼性が高く、磁力による痕跡を視覚的に残すものであるから、本発明によれば、磁石による不正が行われたか否かを磁気表示シートによって確信をもって判断することができ、磁石による不正を確実に防止可能となる。
【００１４】
また、かかる磁気表示シートは、リードスイッチに比べてパチンコ機への装着が容易である。例えば、リードスイッチの装着時には、遊技盤の背面に装着穴を形成しなければならず、また、リードスイッチの磁気検知特性には指向性があるため配設角度を正確に合わせなければならないが、磁気表示シートは遊技盤の前面部位に配設するだけで足りる。さらに言えば、リードスイッチは制御装置と電気的に接続する必要があるが、磁気表示シートはかかる手間が不要である。
【発明を実施するための最良の形態】
【００１５】
本発明の実施形態を、以下の実施例に従って説明する。
【００１６】
本実施例のパチンコ機１は、図１に示すように、遊技島（図示省略）に固定される正面視長方形状の外枠２と、該外枠２の開口部分に、開閉可能に配設される前枠３とを備える。該外枠２は、長尺板片を組み付けてなるものであり、その左側部に設けられたヒンジ部材４を介して、前記前枠３を片開き可能に枢支している。
【００１７】
一方、前枠３は、中央上部に、略正方形状の遊技開口５が形成された方形状の樹脂製板からなり、該遊技開口５の下方前面には、前面に上皿１１が回動可能に配設され、さらに、上皿１１の下方には、遊技球を貯留する下皿１２と、この下皿１２の右側に突出する発射ハンドル６とが備えられている。
【００１８】
前記遊技開口５には、矩形板状の遊技盤８が、遊技開口５全体を後方から塞ぐように配設され、また、該遊技盤８の前方には、遊技盤８前面を透視可能に遮蔽する遊技扉１０が配設される。この遊技扉１０は、略方形状の枠部１５に２枚の透明板９を組み付けてなるものであり、該枠部１５の左側部を遊技開口５の左側縁に枢支されることにより、開閉可能となっている。
【００１９】
遊技盤８は、図２に示すように、木製合板１３の前面全体に、プラスチックシートに装飾を施したセル板１４を貼付してなるものである。遊技盤８の前面には、長尺な金属レール１６を湾曲して取り付けることにより、円形の遊技領域７と円弧状の案内通路１７が区画形成されており、遊技盤８の右下方に配設される発射装置（図示省略）から発射された遊技球を、案内通路１７を介して遊技領域７左上部へ放出するようになっている。そして、遊技領域７には、遊技釘１８や入賞装置１９ａ，１９ｂ，１９ｃ等の遊技部材が配設されており、遊技領域７へ放出された遊技球は、遊技部材間を転動流下し、いずれかの入賞装置１９ａ，１９ｂ，１９ｃに入賞するか、又は遊技領域７下部に形成されたアウト口２０に流入し、遊技盤８の背面側へ排出される。ここで、図２において１９ａは変動入賞装置である。変動入賞装置１９ａの入賞口２２は大当り抽選に係る始動口を兼ねており、該入賞口２２に遊技球を誘導すべく変動入賞装置１９ａ付近に磁石が近づけられるおそれが高いため、本発明に係る磁気表示シート２１は、変動入賞装置１９ａの前面に配設される。
【００２０】
以下に、本発明の要部に係る構成を詳細に説明する。
上述のように、本実施例の磁気表示シート２１は、変動入賞装置１９ａの前面に配設される。図３に示すように、変動入賞装置１９ａは、入賞口２２を備える入賞装置本体２４ａと該入賞装置本体２４ａの上方に配設されるゲート２４ｂとからなる。入賞装置本体２４ａは、入賞口２２の開口度を変化させる開閉翼片２３を備えており、開閉翼片２３が閉じた状態では、遊技球は上部のゲート２４ｂからのみ入賞口２２に入賞可能であるが、開閉翼片２３が拡開すると、ゲート２４ｂの脇からも入賞口２２に入賞可能となり、入賞し易くなる。
【００２１】
図３に示すように、磁気表示シート２１は、入賞装置本体２４ａの前面とゲート２４ｂの前面とに夫々配設される。具体的には、各磁気表示シート２１は所要形状に裁断されて、プラスチックの基板２５ａ，２５ｂの前面に接着される。そして、基板２５ａ，２５ｂは面ファスナ２６ａ，２６ｂを介して入賞装置本体２４ａとゲート２４ｂの前面に着脱自在に取り付けられる。かかる構成にあっては、磁気表示シート２１は、遊技盤８に対して平行に保持されて、パチンコ機１の前方から視認可能となる。そして、磁気表示シート２１は、基板２５ａ，２５ｂを変動入賞装置１９から分離することによって遊技盤８から取り外される。
【００２２】
磁気表示シート２１は、図４に示すように、多数のマイクロカプセル３１をバインダー３２で結着してなるマイクロカプセル層２９の両面に、非磁性フィルム３０ａ，３０ｂを積層してなるものである。各マイクロカプセル３１は、透明な外殻３６内に、黒色の磁性粉３３と白色の非磁性粉３４を透明な油状液体３５に分散させてなる構成となっている。そして、前面側（図４の上側）の非磁性フィルム３０ａとバインダー３２は透明な樹脂材で構成されており、磁気表示シート２１の前面からは各マイクロカプセル３１の前面側の色が視認される。
【００２３】
かかる構成にあっては、図４（ａ）に示すように、磁気表示シート２１の背面に磁石ＢのＮ極又はＳ極を近づけると、マイクロカプセル３１内の黒い磁性粉３３が磁石Ｂに吸引されて背面側に移動し、また、これに伴い白い非磁性粉３４は磁性粉３３に押し退けられて前面側に移動する。そして、これにより、磁石Ｂを近づけた部分のマイクロカプセル３１は前面側から白く視認される。なお、かかる状態で磁石Ｂを遠ざけても、前記油状液体３５の粘性が磁性粉３３と非磁性粉３４を拡散や沈殿させないよう保持するため、磁性粉３３と非磁性粉３４は偏在し続けることとなる。
【００２４】
これに対して、図４（ｂ）に示すように、磁気表示シート２１の前面に磁石ＢのＮ極又はＳ極を近づけると、マイクロカプセル３１内の黒い磁性粉３３が磁石Ｂに吸引されて前面側に移動し、また、これに伴い白い非磁性粉３４は磁性粉３３に押し退けられて背面側に移動する。そして、これにより、磁石Ｂを近づけた部分のマイクロカプセル３１は前面側から黒く視認されることとなる。そして、かかる状態で磁石Ｂを遠ざけても、油状液体３５の粘性によって磁性粉３３と非磁性粉３４は偏在し続ける。かかる磁気表示シート２１は公知であるため、詳細な構造や製造方法についての説明は省略する。
【００２５】
本実施例に係る磁気表示シート２１は前面全体が白色になった状態を初期状態とする。すなわち、磁気表示シート２１を変動入賞装置１９ａに装着する前に、図４（ａ）に示すように、磁気表示シート２１の背面全体に磁石Ｂを近づけて、各マイクロカプセル３１内の黒色の磁性粉３３を背面側に偏在させて、磁気表示シート２１の前面全体を白色にする。
【００２６】
そして、かかる状態にあって、パチンコ機１の前面側から変動入賞装置１９ａ付近に磁石を近づけて遊技球を入賞口２２に誘導しようとすると、マイクロカプセル３１内の磁性粉３３が磁石に引き寄せられて磁気表示シート２１が黒く変色することとなる。かかる磁気表示シート２１は一旦変色すると背面側から磁石を近づけない限り初期状態に復帰させることはできないから、遊技者は磁気表示シート２１を初期状態に復帰させることはできない。したがって、遊技店の店員は、かかる磁気表示シート２１の色をチェックすることで、変動入賞装置１９ａ付近に磁石が近づけられたか否かを把握できる。特に、磁気表示シート２１ａは、振動や衝撃では誤作動しないため、遊技店の店員は、磁気表示シート２１ａの変色が磁力によるものであると確信でき、誤作動の可能性を疑わなくて済む。また、磁気表示シート２１は、加えられる磁力が強くなるほど明瞭にかつ広範囲で変色するため、遊技店の店員は、磁気表示シート２１の変色具合によって、加えられた磁力が不正に用いられる程の強力なものなのか、それとも、磁気ネックレス程度が有する悪意のない微弱なものなのかを区別することができる。
【００２７】
また、磁気表示シート２１が変色した場合は、遊技店の店員は、遊技扉１０を開放して、基板２５ａ，２５ｂを変動入賞装置１９ａから取り外し、磁気表示シート２１の背面側に磁石を当てることによって磁気表示シート２１を初期状態に復帰させることができる。
【００２８】
このように、本実施例のパチンコ機１にあっては、遊技店の店員は、磁気表示シート２１の色をチェックすることで遊技盤８に磁石が近づけられたか否かを確認できる。そして、かかる磁気表示シート２１は、振動や衝撃によって誤作動しない、信頼性の高いものであるから、遊技店の店員は、磁石による不正行為が為されたか否かを、確信をもって判断できる。また、かかる磁気表示シート２１は、変動入賞装置１９ａの前面に装着するだけでよく、制御装置等との電気的な接続が不要であるから、リードスイッチに比べて簡単に装着できる。また、磁気表示シート２１は遊技盤８に対して着脱可能であるから、遊技盤８から取り外すことで初期状態に簡単に復帰させることができる
【００２９】
次に、上記実施例から、磁気表示シートの構成と配設位置を変更した変形例について説明する。
【００３０】
変形例の磁気表示シート２１ａは、図５に示すように、遊技盤８の前面であって、変動入賞装置１９ａの斜め上方位置に配設される。磁気表示シート２１ａは、遊技釘１８の配設部位を避けるように予め所要形状に裁断され、遊技盤８の前面に貼付される。ここで、磁気表示シート２１ａは薄膜であるため、遊技球は、磁気表示シート２１ａに阻害されることなく、磁気表示シート２１ａが貼付された部位を他の部位と同様に転動することができる。また、磁気表示シート２１ａは、再剥離タイプの粘着剤によって遊技盤８の前面に貼付されており、遊技扉１０を開放すれば遊技盤８から剥離し、再貼付できる。
【００３１】
変形例の磁気表示シート２１ａは、図６に示すように、多数のマイクロカプセル３１ａをバインダー３２ａで結着してなるマイクロカプセル層２９ａの両面に、非磁性フィルム３０ｃ，３０ｄを積層してなるものである。各マイクロカプセル３１ａは、透明な外殻３６ａ内に、ニッケルフレーク等の扁平状金属磁性粉３７を透明な油状液体３５ａに分散させてなる構成となっている。かかる扁平状金属磁性粉３７は、マイクロカプセル３１ａ内で凝集せず油状液体３５ａ中に安定に分散されており、外部から磁場が加わると、該磁場の方向に沿って配向するよう転換する。すなわち、図６（ａ）に示すように、磁気表示シート２１ａの面方向から磁石ＢのＮ極又はＳ極を近づけて、磁気表示シート２１ａに面方向に沿った磁場を加えると、マイクロカプセル３１ａ内の扁平状金属磁性粉３７が磁場の方向、すなわち、磁気表示シート２１ａの面方向に配向するよう転換する。これに対して、図６（ｂ）に示すように、磁気表示シート２１ａの前面に磁石ＢのＮ極又はＳ極を近づけて、磁気表示シート２１ａの厚み方向に磁場を加えると、扁平状金属磁性粉３７は磁気表示シート２１ａの厚み方向に配向するよう転換する。
【００３２】
また、磁気表示シート２１ａの前面側（図６の上側）の非磁性フィルム３０ｃは無色透明な樹脂材で構成され、背面側の非磁性フィルム３０ｄは黒色樹脂材で構成され、マイクロカプセル層２９ａのバインダー３２ａは黄色に着色された透明樹脂で構成される。かかる構成によれば、マイクロカプセル３１ａの扁平状金属磁性粉３７が面方向に配向すると、マイクロカプセル３１ａの光の反射率が上昇し、これにより背面側の非磁性フィルム３０ｄの黒色が隠されて、磁気表示シート２１ａの前面はバインダー３２ａの黄色を呈することとなる。一方、マイクロカプセル３１ａの扁平状金属磁性粉３７が厚み方向に配向すると、マイクロカプセル３１ａの光の反射率が減少し、これにより背面側の非磁性フィルム３０ｄが露出して、磁気表示シート２１ａの前面は背面側の非磁性フィルム３０ｄの黒色を呈することとなる。なお、扁平状金属磁性粉３７は油状液体３５ａ中に安定に保持されているため、磁石Ｂを遠ざけて磁場から開放しても、別方向からの磁場が加えられるまでその配向は維持される。かかる磁気表示シート２１ａは公知であるため、詳細な構造や製造方法についての説明は省略する。
【００３３】
本変形例に係る磁気表示シート２１ａは前面全体が黄色に視認される状態を初期状態とする。すなわち、磁気表示シート２１ａを遊技盤８に貼付する前に、図６（ａ）に示すように、磁気表示シート２１ａの面方向から磁石Ｂを近づけて、各マイクロカプセル３１ａ内の扁平状金属磁性粉３７を面方向に配向させて、磁気表示シート２１ａの前面全体を黄色にする。
【００３４】
そして、かかる状態にあって、パチンコ機１の前面側から変動入賞装置１９ａ付近に磁石を近づけて遊技球を入賞口２２に誘導しようとすると、マイクロカプセル３１ａ内の扁平状金属磁性粉３７が厚み方向に転換し、磁気表示シート２１ａが黒く変色することとなる。かかる磁気表示シート２１ａは一旦変色すると面方向の磁場を加えない限り初期状態に復帰させることはできないから、遊技者は遊技扉１０の前方から磁気表示シート２１を初期状態に復帰させることはできない。したがって、かかる変形例にあっても、上記実施例同様に、遊技店の店員は、かかる磁気表示シート２１の色をチェックすることで、変動入賞装置１９ａ付近に磁石が近づけられたか否かを正確に把握できる。
【００３５】
本変形例の磁気表示シート２１ａが変色した場合、遊技扉１０を開放して、磁気表示シート２１ａの面方向に磁場を加えることによって磁気表示シート２１ａを初期状態に復帰させることができる。なお、磁気表示シート２１ａは、遊技盤８から剥離して厳密に面方向の磁場を加えなくても、遊技盤８の前面に貼付したまま略面方向の磁場を加えるだけでも初期状態に復帰させることができる。
【００３６】
なお、本発明におけるパチンコ機は、上記実施例の形態に限らず本発明の要旨を逸脱しない範囲内において種々変更を加えることができる。例えば、本発明に係る磁気表示シートは、上記実施例の構成に限らず公知の磁気表示シートを広く採用し得る。また、磁気表示シートは一般的に柔軟性を有しているため、湾曲状態で配設してもかまわない。また、本発明のパチンコ機は、磁気表示シート以外の磁気センサを排除するものではなく、磁気表示シートに加えて、リードスイッチ等の他の磁気センサを備えることができる。
【図面の簡単な説明】
【００３７】
【図１】実施例のパチンコ機１の斜視図である。
【図２】遊技盤８の斜視図である。
【図３】変動入賞装置１９ａと磁気表示シート２１を分離して示す斜視図である。
【図４】磁気表示シート２１の構造を示す説明図である。
【図５】変形例を示す遊技盤８の正面拡大図である。
【図６】変形例の磁気表示シート２１ａの構造を示す説明図である。
【符号の説明】
【００３８】
１  パチンコ機
８  遊技盤
９  透明板
１０  遊技扉
１８  遊技釘
１９ａ  変動入賞装置
２１  磁気表示シート
２２  入賞口
２９，２９ａ  マイクロカプセル層
３０ａ，３０ｂ，３０ｃ，３０ｄ  非磁性フィルム
３１，３１ａ  マイクロカプセル
３２，３２ａ  バインダー
３３  磁性粉
３４  非磁性粉
３５，３５ａ  油状液体
３６，３６ａ  外殻
３７  扁平状金属磁性粉
Ｂ  磁石
【図１】
2010088617.tif 000003
【図２】
2010088617.tif 000004
【図３】
2010088617.tif 000005
【図４】
2010088617.tif 000006
【図５】
2010088617.tif 000007
【図６】
2010088617.tif 000008